(57)【要約】      （修正有）【課題】太巻きのロール状ペーパーを適切に保持することが可能であるとともに、斬新な外観で汎用性や機能性にも優れたロール状ペーパーホルダーを提供する。【解決手段】少なくともロール状ペーパーＰの幅より広い間隔で離隔されて後側から前側へそれぞれ平行かつ下り傾斜状に延設された一対の傾斜支持部３１と、一対の傾斜支持部の両前端部間に所定高さで立設された前側支持部３２と、一対の傾斜支持部と前側支持部とに囲われた収容ポケット部４０とを備えており、軸部材２０がホルダー本体３０の一対の傾斜支持部に架設載置されることにより、ロール状ペーパーが収容ポケット部内に収容されるとともに、軸部材を介して傾斜支持部の下り傾斜によって前側支持部に当接されて支持される。【選択図】図１
0003234687.tif 000002
【実用新案登録請求の範囲】
【請求項１】
ロール状ペーパーのロール芯部に挿通される軸部材と、
前記軸部材が載置されて前記ロール状ペーパーを軸回転可能に保持するホルダー本体とを備え、
前記ホルダー本体は、少なくとも前記ロール状ペーパーの幅より広い間隔で離隔されて後側から前側へそれぞれ平行かつ下り傾斜状に延設された一対の傾斜支持部と、一対の前記傾斜支持部の両前端部間に所定高さで立設された前側支持部と、一対の前記傾斜支持部と前記前側支持部とに囲われた収容ポケット部とを備えており、
前記軸部材が前記ホルダー本体の一対の前記傾斜支持部に架設載置されることにより、前記ロール状ペーパーが前記ホルダー本体の前記収容ポケット部内に収容されるとともに、前記軸部材を介して前記傾斜支持部の下り傾斜によって前記前側支持部に当接されて支持される
ことを特徴とするロール状ペーパーホルダー。
【請求項２】
前記ホルダー本体の前記傾斜支持部の下り傾斜角度が１０〜２０度である請求項１に記載のロール状ペーパーホルダー。
【請求項３】
前記ホルダー本体が一枚の金属製の板状部材よりなる請求項１又は２に記載のロール状ペーパーホルダー。
【請求項４】
前記ホルダー本体の前記前側支持部の下端面がテーパ状に形成されている請求項１ないし３のいずれか１項に記載のロール状ペーパーホルダー。
【請求項５】
前記ホルダー本体の前記前側支持部の下端部に切欠部を有する請求項１ないし４のいずれか１項に記載のロール状ペーパーホルダー。
【請求項６】
前記軸部材に前記ロール状ペーパーの横移動を規制するとともに前記軸部材の前記傾斜支持部上での横移動を規制する規制部が形成されている請求項１ないし５のいずれか１項に記載のロール状ペーパーホルダー。
【請求項７】
前記軸部材の重さが１５０〜３００ｇである請求項１ないし６のいずれか１項に記載のロール状ペーパーホルダー。
【請求項８】
前記傾斜支持部の後端部に設置位置に固定される背面取付部が設けられている請求項１ないし７のいずれか１項に記載のロール状ペーパーホルダー。
【請求項９】
前記ホルダー本体に台座部が設けられている請求項１ないし７のいずれか１項に記載のロール状ペーパーホルダー。
【考案の詳細な説明】
【技術分野】
【０００１】
この考案は、トイレットペーパー等のロール状ペーパーを使用可能に保持するロール状ペーパーホルダーに関する。
【背景技術】
【０００２】
一般に、トイレットペーパー等のロール状ペーパー用のペーパーホルダーは、壁面等に固設されるホルダー本体と、ロール状ペーパーのロール芯部に挿通されてホルダー本体に着脱自在に保持される軸部材とを備える。この種のロール状ペーパーホルダーでは、例えば、ペーパーホルダーに触れることなく片手で容易にトイレットペーパーを切断可能とするために、トイレットペーパーの一部を束状に収束させてから切断可能な収束切断部を備える等、より使いやすくするために様々な工夫が施されたペーパーホルダーが提案されている（特許文献１参照）。
【０００３】
ところで、一般的なトイレットペーパーは、直径約１２０ｍｍのロール形状で構成される。近年、海外から輸入された大型又は大容量の生活用品等を販売する店舗が増えており、例えば、一般のトイレットペーパーより直径が大きい（例えば１３０ｍｍ以上）太巻きのロール状ペーパーが販売されている。
【０００４】
しかしながら、従来のロール状ペーパーホルダーは、一般的なサイズのトイレットペーパーに対応して構成されている。そのため、従来のロール状ペーパーホルダーでは、太巻きのロール状ペーパーを保持することができなかったり、ロール状ペーパーを押しつぶす等して無理やり保持させたりする等、適切に保持させることができず、円滑に使用することが困難となる等の問題があった。
【先行技術文献】
【特許文献】
【０００５】
【特許文献１】特開２０２０−０３９４９１号公報
【考案の概要】
【考案が解決しようとする課題】
【０００６】
本考案は、前記の点に鑑みなされたものであって、太巻きのロール状ペーパーを適切に保持することが可能であるとともに、斬新な外観で汎用性や機能性にも優れたロール状ペーパーホルダーを提供するものである。
【課題を解決するための手段】
【０００７】
すなわち、請求項１の考案は、ロール状ペーパーのロール芯部に挿通される軸部材と、前記軸部材が載置されて前記ロール状ペーパーを軸回転可能に保持するホルダー本体とを備え、前記ホルダー本体は、少なくとも前記ロール状ペーパーの幅より広い間隔で離隔されて後側から前側へそれぞれ平行かつ下り傾斜状に延設された一対の傾斜支持部と、一対の前記傾斜支持部の両前端部間に所定高さで立設された前側支持部と、一対の前記傾斜支持部と前記前側支持部とに囲われた収容ポケット部とを備えており、前記軸部材が前記ホルダー本体の一対の前記傾斜支持部に架設載置されることにより、前記ロール状ペーパーが前記ホルダー本体の前記収容ポケット部内に収容されるとともに、前記軸部材を介して前記傾斜支持部の下り傾斜によって前記前側支持部に当接されて支持されることを特徴とするロール状ペーパーホルダーに係る。
【０００８】
請求項２の考案は、前記ホルダー本体の前記傾斜支持部の下り傾斜角度が１０〜２０度である請求項１に記載のロール状ペーパーホルダーに係る。
【０００９】
請求項３の考案は、前記ホルダー本体が一枚の金属製の板状部材よりなる請求項１又は２に記載のロール状ペーパーホルダーに係る。
【００１０】
請求項４の考案は、前記ホルダー本体の前記前側支持部の下端面がテーパ状に形成されている請求項１ないし３のいずれか１項に記載のロール状ペーパーホルダーに係る。
【００１１】
請求項５の考案は、前記ホルダー本体の前記前側支持部の下端部に切欠部を有する請求項１ないし４のいずれか１項に記載のロール状ペーパーホルダーに係る。
【００１２】
請求項６の考案は、前記軸部材に前記ロール状ペーパーの横移動を規制するとともに前記軸部材の前記傾斜支持部上での横移動を規制する規制部が形成されている請求項１ないし５のいずれか１項に記載のロール状ペーパーホルダーに係る。
【００１３】
請求項７の考案は、前記軸部材の重さが１５０〜３００ｇである請求項１ないし６のいずれか１項に記載のロール状ペーパーホルダーに係る。
【００１４】
請求項８の考案は、前記傾斜支持部の後端部に設置位置に固定される背面取付部が設けられている請求項１ないし７のいずれか１項に記載のロール状ペーパーホルダーに係る。
【００１５】
請求項９の考案は、前記ホルダー本体に台座部が設けられている請求項１ないし７のいずれか１項に記載のロール状ペーパーホルダーに係る。
【考案の効果】
【００１６】
請求項１の考案に係るロール状ペーパーホルダーは、ロール状ペーパーのロール芯部に挿通される軸部材と、前記軸部材が載置されて前記ロール状ペーパーを軸回転可能に保持するホルダー本体とを備え、前記ホルダー本体は、少なくとも前記ロール状ペーパーの幅より広い間隔で離隔されて後側から前側へそれぞれ平行かつ下り傾斜状に延設された一対の傾斜支持部と、一対の前記傾斜支持部の両前端部間に所定高さで立設された前側支持部と、一対の前記傾斜支持部と前記前側支持部とに囲われた収容ポケット部とを備えており、前記軸部材が前記ホルダー本体の一対の前記傾斜支持部に架設載置されることにより、前記ロール状ペーパーが前記ホルダー本体の前記収容ポケット部内に収容されるとともに、前記軸部材を介して前記傾斜支持部の下り傾斜によって前記前側支持部に当接されて支持されるため、太巻きのロール状ペーパーを適切に保持することが可能であるとともに、斬新な外観で汎用性や機能性にも優れる。
【００１７】
請求項２の考案は、請求項１において、前記ホルダー本体の前記傾斜支持部の下り傾斜角度が１０〜２０度であるため、軸部材を介してロール状ペーパーを前側支持部方向へ適切に付勢させることができる。
【００１８】
請求項３の考案は、請求項１又は２において、前記ホルダー本体が一枚の金属製の板状部材よりなるため、ホルダー本体を容易に製造することができることに加え、優れた強度が得られるとともに高級感を演出することが可能となる。
【００１９】
請求項４の考案は、請求項１ないし３において、前記ホルダー本体の前記前側支持部の下端面がテーパ状に形成されているため、ロール状ペーパーの使用部分を切断しやすくなる。
【００２０】
請求項５の考案は、請求項１ないし４において、前記ホルダー本体の前記前側支持部の下端部に切欠部を有するため、使用時にロール状ペーパーの使用部分を引き出しやすくすることができる。
【００２１】
請求項６の考案は、請求項１ないし５において、前記軸部材に前記ロール状ペーパーの横移動を規制するとともに前記軸部材の前記傾斜支持部上での横移動を規制する規制部が形成されているため、ロール状ペーパーをホルダー本体の収容ポケット部４０内に適切に配置することができるとともに、軸部材を傾斜支持部上に適切に配置して脱落を防止することができる。
【００２２】
請求項７の考案は、請求項１ないし６において、前記軸部材の重さが１５０〜３００ｇであるため、使用部分の引き出し時に適度な抵抗感を生じさせて、過剰消費を抑制することができる。
【００２３】
請求項８の考案は、請求項１ないし７において、前記傾斜支持部の後端部に設置位置に固定される背面取付部が設けられているため、壁面等に適切に設置することができる。
【００２４】
請求項９の考案は、請求項１ないし８において、前記ホルダー本体に台座部が設けられているため、卓上又は床置きでの使用が可能となる。
【図面の簡単な説明】
【００２５】
【図１】本考案の第１実施形態に係るロール状ペーパーホルダーの斜視図である。
【図２】図１のロール状ペーパーホルダーの上面図である。
【図３】図１のロール状ペーパーホルダーの側面図である。
【図４】図１のロール状ペーパーホルダーの概略断面図である。
【図５】軸部材の斜視図である。
【図６】図１のロール状ペーパーホルダーの前側支持部の拡大断面図である。
【図７】本考案の第２実施形態に係るロール状ペーパーホルダーの斜視図である。
【図８】本考案の第３実施形態に係るロール状ペーパーホルダーの斜視図である。
【図９】本考案の第４実施形態に係るロール状ペーパーホルダーの斜視図である。
【図１０】本考案の第５実施形態に係るロール状ペーパーホルダーの斜視図である。
【考案を実施するための形態】
【００２６】
図１〜４に示す本考案の一実施形態に係るロール状ペーパーホルダー１０は、ロール状ペーパーＰを回転自在に保持するものであって、軸部材２０と、ホルダー本体３０とを備える。図中の符号Ｐ１はロール状ペーパーＰから引き出された使用部分に相当するペーパー端部、Ｐ５はロール状ペーパーのロール芯部である。
【００２７】
ロール状ペーパーＰは、トイレットペーパー等のシート状物が円筒形状のロール芯部Ｐ５に巻き付けられて、ロール形状に形成されたものである。本考案のロール状ペーパーホルダー１０に保持されるロール状ペーパーＰは、一般的なロールサイズ（ロール幅約１１４ｍｍ、ロール直径約１２０ｍｍ、ロール芯部Ｐ５の直径約３８ｍｍ）のトイレットペーパーの他、一般的なサイズより大きい太巻きのトイレットペーパーも対象となる。太巻きのトイレットペーパーのロールサイズは、一般的なロールサイズで適宜であるが、例えばロール直径が約１３０〜１５０ｍｍ程度である。
【００２８】
軸部材２０は、ロール状ペーパーＰのロール芯部Ｐ５にその両端が突出されるように挿通される略円柱形状の棒状部材である。実施形態の軸部材２０は、図５に示すように、ロール芯部Ｐ５を介してロール状ペーパーＰを支持する軸本体２１と、軸部材２０の両端部に相当する滑動部２２，２２と、ロール状ペーパーＰのロール幅より広い間隔で離隔されて軸部材２０の両端部近傍に形成された軸本体２１より大径の規制部２５，２５とを有する。
【００２９】
軸部材２０のサイズは、ロール状ペーパーＰのサイズ等に応じて適宜に設定される。実施形態では、軸本体２１の直径が約１５ｍｍ、滑動部２２の直径が約１０ｍｍ、規制部２５の直径が約２０ｍｍ、軸部材２０の長さが約２００ｍｍ、規制部２５の間隔が約１２０ｍｍである。また、軸部材２０は金属製の部材により構成されて、その重さは１５０〜３００ｇ程度であることが好ましい。実施形態では約２００ｇである。
【００３０】
規制部２５は、図２に示すように、軸部材２０がロール芯部Ｐ５に挿通されてロール芯部Ｐ５を介してロール状ペーパーＰを支持する際に、ロール状ペーパーＰの両外部に露出される。すなわち、２つの規制部２５，２５の間にロール状ペーパーＰが配置される。その際、規制部２５は軸本体２１より大径に形成されているため、図３，４に示すように、規制部２５の外縁部がロール芯部Ｐ５の周縁部の外側に突出して、２つの規制部２５，２５の間に配置されたロール状ペーパーＰの横移動が規制される。
【００３１】
ホルダー本体３０は、軸部材２０が載置されてロール状ペーパーＰを軸回転可能に保持する部材であって、図２〜４に示すように、一対の傾斜支持部３１，３１と、前側支持部３２と、収容ポケット部４０とを備える。このホルダー本体３０は、金属製、合成樹脂製、木製等の適宜の材料で構成することができる。実施形態のホルダー本体３０は、一枚の金属製の板状部材で形成される。金属製とすることにより、優れた強度が得られるとともに高級感を演出することが可能となる。また、金属製の板状部材であることから、折り曲げ加工によりホルダー本体３０を容易に製造することができる。
【００３２】
一対の傾斜支持部３１，３１は、少なくともロール状ペーパーＰの幅より広い間隔で離隔されて後側から前側へそれぞれ平行かつ下り傾斜状に延設された部位である。傾斜支持部３１，３１の下り傾斜角度は、約１０〜２０度であることが好ましい。この傾斜支持部３１，３１には、ロール状ペーパーＰに挿通された軸部材２０が架設載置される。
【００３３】
前側支持部３２は、一対の傾斜支持部３１，３１の両前端部３１ａ，３１ａ間に所定高さで立設された部位であり、ロール状ペーパーＰの前側面を支持する。この前側支持部３２は、板状や棒状等、ロール状ペーパーＰを支持可能な適宜の形状で構成される。実施形態の前側支持部３２では、図示のように板状に形成されて、傾斜支持部３１，３１の両前端部３１ａ，３１ａの折り曲げ変形により立設されている。
【００３４】
そこで、前側支持部３２に支持されたロール状ペーパーＰでは、使用時にペーパー端部Ｐ１を前側支持部３２の下側から引き出すようにすると、ペーパー端部Ｐ１の引き出し位置がほぼ一定となり、使いやすくなって好ましい。その際、前側支持部３２では、図４，６に示すように、下端面３３がテーパ状に形成されていることがより好ましい。前側支持部３２のテーパ状の下端面は、ペーパーの切断部に相当し、ロール状ペーパーＰの使用時に切断しやすくなる。図示の例では下端面３３のテーパ方向は先端部３３ａが外側となるようしたが、先端部が内側となるようなテーパ状としてもよい。
【００３５】
また、板状の前側支持部３２では、図１に示すように、下端部に切欠部３４を有することが好ましい。切欠部３４は、半円形状や四角形状等の適宜の形状からなり、指先が入る程度の大きさで形成される。この切欠部３４は、ロール状ペーパーＰのペーパー端部Ｐ１が前側支持部３２内に隠れた場合に、ペーパー端部Ｐ１の一部を前側支持部３２から露出させて、使用時にペーパー端部Ｐ１を引き出しやすくすることができる。
【００３６】
収容ポケット部４０は、一対の傾斜支持部３１，３１と前側支持部３２とに囲われた空間部であって、軸部材２０を介して傾斜支持部３１，３１に架設載置されたロール状ペーパーＰが収容される。また、収容ポケット部４０は、一対の傾斜支持部３１，３１と前側支持部３２との少なくとも三辺が囲われていればよいが、必要に応じて一対の傾斜支持部３１，３１の両後端部間に後辺部３５を形成して、四辺を囲ってもよい。
【００３７】
ホルダー本体３０のサイズは、軸部材２０やロール状ペーパーＰのサイズ等に応じて適宜に設定される。実施形態では、ホルダー本体３０の幅が約１６０ｍｍ、長さが約１５０ｍｍ、前側支持部３２の高さが約３７ｍｍ、収容ポケット部４０の幅が約１３２ｍｍ、収容ポケット部４０の長さが約１３０ｍｍである。
【００３８】
本考案のロール状ペーパーホルダー１０では、図１〜４に示すように、軸部材２０がホルダー本体３０の一対の傾斜支持部３１，３１に架設載置されることにより、ロール状ペーパーＰがホルダー本体３０の収容ポケット部４０内に収容された状態で、軸部材２０を介して傾斜支持部３１，３１の下り傾斜によって前側支持部３２に当接されて支持される。すなわち、傾斜支持部３１，３１に載置された軸部材２０の滑動部２２，２２が、傾斜支持部３１，３１の下り傾斜により前側支持部３２方向へ滑動されるため、ロール状ペーパーＰは軸部材２０とともに前側支持部３２方向へ滑り落ちて、前側支持部３２によって当接支持される。
【００３９】
この時、軸部材２０の各規制部２５，２５により、ロール状ペーパーＰの横移動が規制されるため、ロール状ペーパーＰがホルダー本体３０の収容ポケット部４０内に適切に配置される。さらに、軸部材２０の各規制部２５，２５は、図２に示すように、ロール状ペーパーＰの両端とホルダー本体３０の各傾斜支持部３１，３１との間に介在され、軸部材２０の傾斜支持部３１，３１上での横移動が規制される。そのため、軸部材２０が傾斜支持部３１，３１上に適切に配置されて脱落を防止することができる。
【００４０】
上記のように前側支持部３２に当接支持されるロール状ペーパーＰは、自重及び軸部材２０の荷重によって前側支持部３２方向へ付勢される。そのため、使用時においてもロール状ペーパーＰの位置が前側支持部３２側で保持されて、使い心地が損なわれない。特に、軸部材２０の重量を１５０〜３００ｇ程度とすることによって、ロール状ペーパーＰのペーパー端部Ｐ１側が前側支持部３２に押し付けられる。これにより、ロール状ペーパーＰのペーパー端部Ｐ１の引き出し時に適度な抵抗感を生じさせて、過剰消費を抑制することができる。軸部材２０が軽すぎると十分な抵抗感が生じないため、過剰消費を抑制できないおそれがあり、軸部材２０が重すぎるとロール状ペーパーＰが前側支持部３２に過剰に押し付けられてペーパー端部Ｐ１を円滑に引き出すことができなくなるおそれがある。
【００４１】
また、ホルダー本体３０では、傾斜支持部３１，３１の下り傾斜角度を約１０〜２０度とすることによって、軸部材２０を介してロール状ペーパーＰを前側支持部３２方向へ適切に付勢させることができる。傾斜支持部３１，３１の下り傾斜角度が小さすぎるとロール状ペーパーＰを前側支持部３２方向へ十分に付勢することができないおそれがある。一方、下り傾斜角度が大きすぎる場合、ロール状ペーパーＰが前側支持部３２へ過剰に押し付けられるおそれがあることに加え、収容ポケット部４０の長さ方向の距離を十分に確保するために傾斜支持部３１，３１を過剰に長く形成しなければならなくなって好ましくない。
【００４２】
以上のとおり、本考案のロール状ペーパーホルダー１０は、ホルダー本体３０が、後側から前側へそれぞれ平行かつ下り傾斜状に延設された一対の傾斜支持部３１，３１と、一対の傾斜支持部３１，３１の両前端部間に立設された前側支持部３２と、一対の傾斜支持部３１，３１と前側支持部３２とに囲われた収容ポケット部４０とを備えるため、極めて斬新な外観に構成される。
【００４３】
また、上記のような斬新な外観でありながら、ロール状ペーパーＰに挿通された軸部材２０がホルダー本体３０の一対の傾斜支持部３１，３１に架設載置されることにより、ロール状ペーパーＰがホルダー本体３０の収容ポケット部４０内に収容されるとともに、軸部材２０を介して傾斜支持部３１，３１の下り傾斜によって前側支持部３２に当接支持されるため、ロール状ペーパーＰの大きさ（直径）に応じて軸部材２０が傾斜支持部３１，３１上に自在に配置可能となる。したがって、使用前の太巻きのロール状ペーパーの保持に加え、一般的なロール状ペーパーや使用により小さくなったロール状ペーパー等、異なる大きさ（直径）のロール状ペーパーであっても同様の状態で適切に保持することができるため、汎用性にも機能性にも優れる。
【００４４】
次に、本考案のロール状ペーパーホルダーの形態のバリエーションについて、図１，７〜１０を用いて説明する。なお、以下の説明において、同一符号は同一の構成を表すものとして、説明を省略する。
【００４５】
図１に示す第１実施形態のロール状ペーパーホルダー１０Ａは、壁面等の設置位置に固定されるタイプであって、ホルダー本体３０の傾斜支持部３１の後端部３１ｂに背面取付部５０が設けられている。背面取付部５０は、壁面等に密接可能な板状に形成されて、ねじ部材等の適宜の固定部材により固定される。実施形態の背面取付部５０は、傾斜支持部３１の後端部３１ｂに一体に垂設された部位であり、金属製の板状部材の折り曲げ加工により製造される。なお、背面取付部は傾斜支持部の後端部から立設して形成してもよい。
【００４６】
図７〜１０に示すロール状ペーパーホルダー１０Ｂ，１０Ｃ，１０Ｄ，１０Ｅは、卓上又は床置きタイプであって、ホルダー本体３０に台座部６０が設けられている。図７に示す第２実施形態のロール状ペーパーホルダー１０Ｂは、ホルダー本体３０の下側に箱状台座部６１が設けられた例である。箱状台座部６１では、前面部６２にロール状ペーパーＰのペーパー端部Ｐ１の引き出しが可能な前面開口部６３が形成される。
【００４７】
図８に示す第３実施形態のロール状ペーパーホルダー１０Ｃは、ホルダー本体３０の傾斜支持部３１の後端部３１ｂに脚状台座部６５が設けられた例である。脚状台座部６５は、金属製の板状部材の折り曲げ加工により製造することができる。図９に示す第４実施形態のロール状ペーパーホルダー１０Ｄは、ホルダー本体３０の傾斜支持部３１の下面側に脚状台座部６６が設けられた例である。図１０に示す第５実施形態のロール状ペーパーホルダー１０Ｅは、ホルダー本体３０の傾斜支持部３１の前端部３１ａに脚状台座部６７が設けられた例である。脚状台座部６６，６７は、溶接等の適宜の接続方法により適宜に形成することができる。
【００４８】
ロール状ペーパーホルダー１０Ｂ，１０Ｃ，１０Ｄ，１０Ｅは、台座部６０（６１，６５，６６，６７）により卓上又は床置きでの使用が可能となる。そのため、設置が容易で取り扱い易い。台座部６０（６１，６５，６６，６７）の形状はこれらに限定されるものではなく、ホルダー本体３０を安定して支持可能な適宜の形状とすることができる。
【００４９】
なお、本考案のロール状ペーパーホルダーは、前述の実施形態のみに限定されるものではなく、考案の趣旨を逸脱しない範囲において構成の一部を適宜に変更して実施することができる。例えば、ロール状ペーパーに埃や異物等が付着することを抑制するために、ホルダー本体の上部に適宜のカバー体等を設けてもよい。
【産業上の利用可能性】
【００５０】
以上の通り、本考案のロール状ペーパーホルダーは、太巻きのロール状ペーパーを適切に保持することが可能であり、斬新な外観でありながら汎用性や機能性にも優れる。そのため、従来のロール状ペーパーホルダーの代替品として有望である。
【符号の説明】
【００５１】
１０，１０Ａ〜１０Ｅ    ロール状ペーパーホルダー
２０    軸部材
２１    軸本体
２２    滑動部
２５    規制部
３０    ホルダー本体
３１    傾斜支持部
３１ａ  傾斜支持部の前端部
３１ｂ  傾斜支持部の後端部
３２    前側支持部
３３    前側支持部の下端面
３３ａ  下端面の先端部
３４    切欠部
３５    後辺部
４０    収容ポケット部
５０    背面取付部
６０    台座部
６１    箱状台座部
６２    箱状台座部の前面部
６３    前面開口部
６５，６６，６７    脚状台座部
Ｐ      ロール状ペーパー
Ｐ１    ペーパー端部
Ｐ５    ロール状ペーパーのロール芯部
【図１】
0003234687.tif 000003
【図２】
0003234687.tif 000004
【図３】
0003234687.tif 000005
【図４】
0003234687.tif 000006
【図５】
0003234687.tif 000007
【図６】
0003234687.tif 000008
【図７】
0003234687.tif 000009
【図８】
0003234687.tif 000010
【図９】
0003234687.tif 000011
【図１０】
0003234687.tif 000012